(57)【要約】  本発明は、駆動ケーブル上の冷間成形され得る接続部４；２４；５４；６４とプラスチックから形成される端部６；２６；５６；６６とを有する駆動ケーブル用の末端キャップ２；２２；５２；６２に関する。接続部は、端部の方へ向く開口８；２８、６８を有し、端部の一部がその開口に係合する。また、本発明は、前記末端キャップを有する駆動ケーブル、および、端部を接続部に留めることによって末端キャップを製造するための方法、並びに、本発明に係る接続キャップを駆動ケーブルの先端に留めることにより駆動ケーブルを製造するための方法に関する。本発明は、自動車のルーフまたはサンスクリーンローラブラインドを出現させるおよび／または摺動させる際に使用できる。【選択図】図２
2011510244.tif 000002
【特許請求の範囲】
【請求項１】
特に自動車において、特にサンルーフを摺動および／または傾動する際に、またはサンブラインドにおいて使用される駆動ケーブル用のエンドキャップであって、
駆動ケーブル上の冷間成形可能な接続部（４；２４；５４；６４）と、プラスチックから形成される端部（６；２６；５６；６６）とを有し、前記接続部（４；２４；５４；６４）が前記端部（６；２６；５６；６６）と対向する開口（８；２８；６８）を有し、前記端部（６；２６；５６；６６）の一部が前記開口（８；２８；６８）に係合する、エンドキャップ。
【請求項２】
前記接続部（４；２４；５４；６４）が、金属から形成され、または、冷間成形可能なプラスチック、例えば冷間成形可能な熱可塑性物質から形成されることを特徴とする、請求項１に記載のエンドキャップ。
【請求項３】
前記端部（６；２６；５６；６６）が、熱可塑性物質、例えばＰＯＭ、ＰＡ、または、ＰＰから形成されることを特徴とする、請求項１または２に記載のエンドキャップ。
【請求項４】
略径方向に対称となるように形成されることを特徴とする、請求項１〜３のいずれか一項に記載のエンドキャップ。
【請求項５】
前記開口（８；２８、６８）が、好ましくは略径方向に対称となるように形成されて配置されることを特徴とする、請求項１〜４のいずれか一項に記載のエンドキャップ。
【請求項６】
前記端部（６）が前記接続部（４）上に射出成形されることを特徴とする、請求項１〜５のいずれか一項に記載のエンドキャップ。
【請求項７】
前記接続部（４；２４；５４；６４）が、前記端部（６；２６；５６；６６）へ向けて先細るように形成されることを特徴とする、請求項１〜６のいずれか一項に記載のエンドキャップ。
【請求項８】
前記接続部（４；２４；５４；６４）が、前記端部（６；２６；５６；６６）から離れる方向に向く先端にて広がるように形成されることを特徴とする、請求項１〜７のいずれか一項に記載のエンドキャップ。
【請求項９】
前記端部（６；２６；５６；６６）が２部品で形成されることを特徴とする、請求項１〜８のいずれか一項に記載のエンドキャップ。
【請求項１０】
前記端部（５６）がスロット付きの領域（５８）を有することを特徴とする、請求項１〜９のいずれか一項に記載のエンドキャップ。
【請求項１１】
前記端部（６６）が、前記接続部（６４）の開口（６８）の直径（Ｚ）よりも大きい直径（Ｘ）を有する後側領域（６６．２）を有することを特徴とする、請求項１〜１０のいずれか一項に記載のエンドキャップ。
【請求項１２】
前記端部（６６）の後側領域（６６．２）が、前記端部（６６）の前側領域（６６．１）へ向かうくびれ（７０）を有し、前記くびれ（７０）の直径が、前記接続部（６４）の開口（６８）の直径（Ｚ）以下であることを特徴とする、請求項１１に記載のエンドキャップ。
【請求項１３】
請求項１〜１２のいずれか一項に記載のエンドキャップ（２；２２；５２；６２）を有する駆動ケーブル。
【請求項１４】
接続部（４；２４；５４；６４）を設けるとともに、前記接続部（４；２４；５４；６４）に端部（６；２６；５６；６６）を取り付けることにより、特に自動車において、特にサンルーフまたはサンブラインドを摺動および／または傾動する際に用いる請求項１〜１０のいずれか一項に記載のエンドキャップ（２；２２；５２；６２）を製造する方法。
【請求項１５】
前記端部（６；２６；５６；６６）が、挿入、超音波溶接、熱転覆、プラスチック冷間成形、打ち込みによって、あるいは、直接射出成形によって前記接続部（４；２４；５４；６４）に取り付けられることを特徴とする、請求項１４に記載の方法。
【請求項１６】
前記端部（６；２６；５６；６６）および前記接続部（４；２４；５４；６４）が個別に製造されて、前記端部（６；２６；５６；６６）と前記接続部（４；２４；５４；６４）とが互いにクリップ式で固定されることを特徴とする、請求項１４または１５に記載の方法。
【請求項１７】
特にサンルーフまたはサンブラインドを摺動させおよび／または傾動させるために、特に自動車で用いる駆動ケーブルの製造方法であって、ケーブル部が設けられ、請求項１〜１３のいずれか一項に記載のエンドキャップ（２；２２；５２；６２）が駆動ケーブルの一端に取り付けられる、方法。
【請求項１８】
前記エンドキャップ（２；２２；５２；６２）が打ち付けによって前記駆動ケーブルの先端に取り付けられる、請求項１７に記載の方法。
【請求項１９】
前記接続部（４；２４；５４；６４）が前記駆動ケーブルの先端に取り付けられ、前記端部（６；２６；５６；６６）が既に取り付けられた前記接続部（４；２４；５４；６４）上に射出成形される、請求項１７または１８に記載の方法。
【請求項２０】
前記端部（６６）は、好ましくは該端部（６６）が前記接続部（６４）に係止するまで、前記接続部（６４）内に押し込まれる、請求項１７〜１９のいずれか一項に記載の方法。
【発明の詳細な説明】
【技術分野】
【０００１】
本発明は、特に自動車において、例えばサンルーフを摺動および／または傾動する際に使用され、または、例えばサンブラインドなどのローラブラインドにおいて使用される駆動ケーブル用のエンドキャップに関する。また、本発明は、そのようなエンドキャップを有する駆動ケーブル、および、エンドキャップの製造方法、並びに、駆動ケーブルの製造方法に関する。
【背景技術】
【０００２】
前述したタイプの駆動ケーブルまたは伝達ケーブルは、例えば、欧州特許出願第０  ４０９  １０３号および欧州特許出願第０  １８１  ９９５号に開示されている。そのような駆動ケーブルは、好ましくは、自動車のサンルーフを摺動させるおよび／または傾動させるために使用され、その場合、通常は、モータ駆動ネジにより駆動ケーブルを軸線方向に調整することができ、また、調整されるべき部品、例えばサンルーフに対して駆動ケーブルが取り付けられる。
【０００３】
駆動ケーブルは、通常、適用ピッチの螺旋を有する幾つかのブレードから成る金属鎖により形成される連続製品として製造され、また、その後に必要な長さにカットされなければならない。このプロセスで形成される駆動ケーブルの先端は、ケーブルの緩んだ個々のワイヤが原因で外側に広がる傾向がある。
【０００４】
従来技術の駆動ケーブルの他の問題は、それらが取り付けられると、それらの先端がガタガタ音をたてる傾向があるという点である。
【０００５】
これらの問題を解決するため、従来技術から知られる手法は、駆動ケーブルの先端に金属スリーブを設けることから成る。この金属スリーブは、通常、所定位置で打ち付けられる。この手法は、駆動ケーブルの先端の外側への広がりを効果的に防止することができるが、使用される金属によって、駆動ケーブルが取り付けられると、駆動ケーブルの先端が依然としてガタガタ音をたてる傾向があることが分かってきた。
【０００６】
金属スリーブに伴って直面するガタガタ音の問題を改善するため、金属スリーブではなくプラスチックから形成されるスリーブを設けるべく別の手法が提案された。そのような予め形成されたプラスチックスリーブを機械的方法によって駆動ケーブルの先端に取り付けることは容易ではないため、プラスチックスリーブを駆動ケーブルの先端に直接射出成形する試みがなされた。しかしながら、カッティング中に、駆動ケーブルの先端が、射出成形されたスリーブを損傷させる可能性がある非常に鋭いバリとなり得ることが分かった。これが、バリを除去するために駆動ケーブルが研磨されなければならない理由である。この付加的な作業ステップは、そのような駆動ケーブルのコストを増大させる。
【０００７】
また、直接射出成形されたプラスチックスリーブがしばしば良好に付着しないことも分かってきた。これは、製造プロセスによるオイル残留物が駆動ケーブルに付着するという状況がしばしば起こるからである。このため、駆動ケーブルの少なくとも先端にオイルが存在しないようにしなければならない。これは、鎖の製造プロセスを変更することにより、または、オイルを除去するための更なる作業ステップを実行することにより、行なうことができる。
【０００８】
プラスチックから成る射出成形された端部スリーブの他の問題は、必要とされる高い射出成形圧力によって、射出成形されたプラスチック材料が適用されたピッチ螺旋に沿って移動してその場所で硬化する傾向があるという点である。ピッチ螺旋上に存在するプラスチック材料は欠けて落ちる可能性があり、この欠け落ちた材料もガタガタ音ノイズを引き起こす可能性がある。
【０００９】
ドイツ実用新案第８８  １０  ６９９号は、ギアを動作させるために使用され得る、ワイヤケーブルに対する接続および硬質弾性プラスチックが取り付けられて成る射出成形アイレットに対する接続を行なうための接続チューブを有する制御ケーブル用の接続部品を開示している。
【００１０】
ドイツ特許出願第１０  ２００５  ００６  ４３２号は、構成部品、特に車両の貨物室カバーを昇降させるための保持装置であって、第２の保持要素と非積極的にクランプされ得る牽引要素に結合される第１の保持要素を有し、それにより、保持要素間のクランプ接続を所定の負荷で解放することができる保持装置を開示している。
【発明の概要】
【発明が解決しようとする課題】
【００１１】
したがって、本発明の目的は、総合すれば、駆動ケーブルの先端を外側に広げないように効果的に保護することができると同時に、駆動ケーブルがガタガタ音をたてる傾向を効果的に減少させ、それにより、エンドキャップおよび駆動ケーブルが高い費用効率で製造される、駆動ケーブル用のエンドキャップ、駆動ケーブル、エンドキャップの製造方法、および、駆動ケーブルの製造方法を提案することである。
【課題を解決するための手段】
【００１２】
この目的は、請求項１に係る駆動ケーブル用のエンドキャップによって、別の独立請求項１２に係る駆動ケーブルによって、別の独立請求項１３に係るエンドキャップの製造方法によって、および、別の独立請求項１６に係る駆動ケーブルの製造方法によって達成される。
【００１３】
第１の発明思想によれば、特にサンルーフ、または、ローラブラインド、とりわけサンブラインドを摺動させるおよび／または傾動させるために自動車において特に使用され得る駆動ケーブル用のエンドキャップが提供される。エンドキャップは、２つの部分、すなわち、エンドキャップを駆動ケーブルに接続するための冷間成形可能な接続部と、接続部に隣接するプラスチックから成る端部とを有する。したがって、端部および接続部が共にエンドキャップを形成する。
【００１４】
接続部が端部と対向する開口を有し、その場合、端部の一部が開口を通じて接続部に入り込み、それにより、接続部と端部との間の積極的な接続が可能になることが好ましい。開口は、径方向に対称となるように形成されて配置されるのが好ましい。接続部に対する端部の取り付けは、そのような開口によって容易になる。
【００１５】
そのようなエンドキャップにより、駆動ケーブルが外側に広がることおよびガタガタ音をたてることを有効に、かつ同時に防止することができ、それにより、冷間成形可能な接続部が、駆動ケーブルに対するエンドキャップの優れた結合を達成する。これは、エンドキャップと駆動ケーブルとの間で積極的な摩擦接続が行なわれるからである。接続は、例えば、打ち付け、半田付け、または、圧着であってもよい。しかしながら、プラスチックから成る端部も、駆動ケーブルがガタガタ音をたてる傾向を減らす。これは、プラスチックが良好な遮音材であることで知られているからである。
【００１６】
更に、そのようなエンドキャップは、後述する本発明に係る方法を使用して費用効率良く製造することもできる。本発明に係るエンドキャップの他の利点は、カッティングにより形成される駆動ケーブルの先端が研削またはグリース除去などの前処理を必要としないという点である。これは、駆動ケーブルの未処理の先端上にエンドキャップを容易に被着できるからである。
【００１７】
本発明の範囲内では、プラスチックではなく、ガタガタ音をたてる傾向が殆どない従来技術から知られる他の材料、例えばコルクやゴムなどの天然材料、または、他の材料、例えば発泡体、エラストマーなどから端部を形成することもできる。
【００１８】
エンドキャップの接続部にとって特に好ましい材料は金属である。金属は、例えば深絞りによって加工するのが特に容易であり、それに加えて、安価でもある。更に、金属は鍛造によって成形することができ、それにより、エンドキャップの組み付けが容易である。
【００１９】
他の有利な実施形態は、熱可塑性物質、例えばＰＯＭ、ＰＡ、または、ＰＰから端部が形成されるようにする。熱可塑性物質は、射出成形法によって非常にうまく加工することができる。
【００２０】
エンドキャップを略径方向に対称となるように形成することも同様に好ましい。この場合、接続部および端部を径方向に対称となるように形成して対称の共有軸線に沿って互いに取り付けることができる。これにより、駆動ケーブルに対するエンドキャップの、特に打ち付けによる取り付けが容易となる。
【００２１】
別の方法として、接続部、特に端部は、径方向に分布されるウェブを有することができる。これにより、駆動ケーブルのガタガタ音をたてる傾向を減らすことができるとともに、駆動ケーブルの取り付けを簡略化できる。
【００２２】
他の有利な実施形態によれば、端部が接続部上に射出成形されるようになっている。このようにすると、エンドキャップを非常に簡単に且つ安価に製造することができる一方で、エンドキャップの信頼できる寸法的に正確な製造も確保される。
【００２３】
更に、接続部が端部へ向けてテーパが付けられるように形成されれば有益となり得る。一方では、これにより、端部が接続部の直径をかなり超えて周方向に突出することにより不都合に大きい直径を端部にとらせることなく、端部を接続部に設置し、または取り付けることができ、他方では、これにより、接続部を駆動ケーブルの先端に取り付けるために接続部が変形される場合であっても、接続部と端部との間の特に強固な接続が可能である。
【００２４】
端部から離れる方向に向く接続部の一端が広がるようにエンドキャップを形成できることが好ましい。これにより、駆動ケーブルの先端をエンドキャップに挿入するのが容易となる。
【００２５】
本発明の他の有利な実施形態によれば、端部は、２部品で形成されるとともに、エンドキャップが組み付けられるときに一体品の端部を形成するように一体に結合される。これにより、端部の組み付けが容易となる。
【００２６】
本発明に係るエンドキャップの他の実施形態は、端部が接続部へ向かうスロットを有するべく形成されるようになっており、有益である。これにより、端部が接続部に挿入されて、端部のスロット付きの領域が離れるように曲げられて永久的に変形されることにより、端部と接続部との間で積極的な接続がなされるため、端部を接続部に取り付けるのが非常に容易になる。
【００２７】
端部が前側領域と後側領域とを有し、後側領域が接続部内に挿入されるようになっている場合には、端部の挿入を可能にする役目を果たし且つ端部の後側部分の直径よりも小さい直径を有する開口を接続部が有していれば、端部を接続部内により良好に固定することができる。これにより、端部の後側部分が接続部内で強固にクランプ止めされる。この場合、係止を可能にするくびれを端部の後側部分に設けることができる。端部の挿入後に接続部を打ち付けることにより、接続部と端部との間の結合を更に高めることができる。
【００２８】
本発明の他の独立の主題は、前述した本発明に係るエンドキャップを有する駆動ケーブルに関する。そのような駆動ケーブルは、費用効率良く製造できるとともに、高品質に加えて、ガタガタ音をたてる傾向が低い。
【００２９】
本発明の他の独立の主題は、前述した本発明に係るエンドキャップの製造方法に関する。本発明に係る方法は、接続部を用意するとともに、接続部に対する端部の取り付けを行なう。この方法にしたがって製造されるエンドキャップは、非常に頑丈であり、駆動ケーブルの先端に容易に且つ確実に取り付けることができるとともに、ガタガタ音をたてる傾向がなく、費用効率良く製造することもできる。
【００３０】
挿入、超音波溶接、熱転覆、プラスチック冷間成形、打ち込みによって、あるいは、直接射出成形によって、端部を接続部に取り付けることができるのが特に有益である。これらの方法は、高レベルの品質を達成しつつ、エンドキャップの特に費用効率の高い製造を可能にする。
【００３１】
また、端部および接続部が個別に製造された後に互いにクリップ式に固定されれば有益となり得る。これにより、組み付けが特に容易になる。
【００３２】
更に、端部および接続部が個別に製造され、その後、端部が接続部に係止されるようにすることができる。これは、接続部における端部の特に容易な取り付けをもたらす。
【００３３】
本発明の最後の独立の思想によれば、特にサンルーフまたはロールブラインド、特にサンブラインドを摺動させおよび／または傾動させるために自動車で特に使用される駆動ケーブルの製造方法が提供される。本発明に係る方法では、ケーブル部が設けられ、前述した発明にしたがって形成されるエンドキャップが駆動ケーブルの一端に取り付けられる。この方法は、特に容易に実行することができるとともに、特に高品質の駆動ケーブルの製造を可能にする。
【００３４】
本発明に係る方法の有利な実施形態は、エンドキャップが打ち付けによって駆動ケーブルの先端に取り付けられるようにする。他の考えられる取り付け手段と比べて、打ち付けは、実行するのが容易であり、駆動ケーブルの先端に対する接続キャップの信頼できる接続を確保する。
【００３５】
接続部が駆動ケーブルの先端に取り付けられ、端部が既に取り付けられた接続部上に射出成形されるのが有益である。これにより、不良品がほとんどない製造が可能になる。これは、端部が射出成形によって取り付けられる前に接続部がその最終形状を確保しているからである。そうでなければ、稀に、特にエンドキャップが打ち付け装置に適切に挿入されていなかった場合に、端部の変形によって端部が破断することが起こり得る。
【００３６】
本発明の更なる目的、利点、特徴、および、用途は、図面に基づく一実施形態の以下の説明から分かる。この文脈において、説明されおよび／または描かれる特徴の全ては、それら単独で、または任意の意味のある組み合わせで、それらが言及する請求項でのそれらの編成にかかわらず、本発明の主題を構成する。
【図面の簡単な説明】
【００３７】
【図１】本発明に係るエンドキャップを概略的に示している。
【図２】図１のＡ−Ａ断面線に沿うエンドキャップの断面を概略的に示している。
【図３】本発明に係るエンドキャップの別の実施形態の断面を概略的に示している。
【図４】本発明に係るエンドキャップの端部を概略的に示している。
【図５】本発明に係るエンドキャップの第３の実施形態を概略的に示している。
【図６ａ】従来の金属スリーブを有する駆動ケーブルの平面図を概略的に示している。
【図６ｂ】駆動ケーブルの断面図を概略的に示している。
【図６ｃ】従来技術のスリーブの断面図を概略的に示している。
【図７】射出成形された端部を伴う従来技術に係る駆動ケーブルを概略的に示している。
【図８Ａ】本発明に係るエンドキャップの第４の実施形態を概略的に示している。
【図８Ｂ】本発明に係るエンドキャップの第４の実施形態を概略的に示している。
【発明を実施するための形態】
【００３８】
図１は、接続部４および端部６を備える本発明に係るエンドキャップ２を示している。本発明に係るエンドキャップ２は、略回転対称となるように形成されており、駆動ケーブルから離れる方向に向けて徐々に先細っている。
【００３９】
接続部４は、冷間成形が容易な金属から形成される。接続部４は、駆動ケーブル（ここには図示せず）の先端のエンドキャップ２内への挿入を可能にする役目を果たすとともに、エンドキャップ２を駆動ケーブルの先端に留める役目を果たす。接続部４の視認できる部分は主に円筒状を成すように形成されており、その結果、接続部４を例えば駆動ケーブルの先端に対して打ち付けることにより適切に留めることができる。
【００４０】
端部６は、プラスチックから形成されるとともに、前端が円錐状に先細るように丸みのある先端を伴って形成され、したがって、そのようなエンドキャップ２が設けられる駆動ケーブルの取り付けが容易となる。
【００４１】
図２は、図１のＡ−Ａ断面線に沿う本発明に係るエンドキャップ２の断面を示している。
【００４２】
接続部４は、端部６へ向けて、略円形で軸線対称となるように形成される開口８を有する。接続部４は、略円筒状の後部１２の直径に対して前方へ向けて先細る前側領域１０を有する。開口８および先細る前側領域１０は、エンドキャップ２を駆動ケーブルに取り付けることができるように接続部４が打ち付けられるときに端部６が曲げられるだけでせん断されないようにすることができる。接続部４の変形は、接続部４の全体にわたって行なわれ、打ち付けられなかった前側領域１０の圧縮を引き起こす。結果として、ケーブルに対するエンドキャップ２の取り付け中の不良品率を減らすことができる。これは、端部６のプラスチックがせん断力に晒されるときに変形されるよりも破断される傾向が高いからである。
【００４３】
接続部４は、ケーブルに面する先端に幅広領域１４を有しており、そのため、接続部４への駆動ケーブルの挿入が容易となる。
【００４４】
図１および図２に示される実施形態では、接続部４および端部６を様々な方法によって互いに結合できる。１つの可能性は、例えば深絞りによって既に製造されてしまっている接続要素４上にプラスチックを直接射出成形することである。このため、接続要素４がパンチ上に配置された後、接続要素４に上端から開口８を通じて熱可塑性物質が射出成形され、それにより、成形処理中にプラスチックが端部６の形状をとると同時に、接続部４の何らかの想定し得る公差にかかわらず、信頼できる積極的な接続が常に達成されると考えられる。
【００４５】
他の可能性については、別個に予め製造されたプラスチック等から成る端部６と併せて、図４に基づき説明する。
【００４６】
図３は、図１および図２に描かれる実施形態に代わる実施形態の断面図を示している。エンドキャップ２２は接続部２４および端部２６を有しており、この場合、接続部２４は、最初に説明した実施形態の場合のように端部に面する領域で前方へ向けて円錐状に先細るように形成されておらず、連続的に円筒状を成し、端部２６内へ突出し、円形の開口２８をもつカラーを有するように形成される。端部２６は、接続部２４上に直接射出成形される。
【００４７】
図４は、端部６が別個に予め製造される場合の第１の変形（図１、２）において使用され得る類の端部６の想定し得る実施形態を示している。
【００４８】
端部６は、前側円錐領域１６と後側円筒領域１８とを備える。前側領域１６は、後側領域１８の直径よりも大きい直径へ幅広になっており、アンダーカット２０によって後側領域１８への移行部を形成する。このアンダーカット２０は、関連する接続要素４のテーパ領域１０の輪郭をほぼ有する。したがって、端部６を接続要素の開口８内へ挿入した後に永久変形させて接続要素との積極的な接続を形成することができる。後側領域１８の変形は、超音波溶接、熱転覆、リベット、または、パンチを使用する冷間成形によって行なうことができる。
【００４９】
図５は、本発明に係るエンドキャップ５２の他の代替案を示している。図１および図２に示される第１の実施形態とは異なり、接続部５４に射出成形される前端部５６は、スロット付きの成形された後側領域５８によって積極的に留められる。この実施形態において、端部５６は、接続部５４とのクリップ式の固定により接続部５４に結合させることができる。
【００５０】
図６ａ〜図６ｃは従来技術により知られる駆動ケーブル３２を示している。図６ａは駆動ケーブル３２の側面図を描いている。駆動ケーブル３２は、該駆動ケーブル３６が外側へ広がらないようにスリーブ３４によってその前端が閉じられる。従来技術のスリーブ３４は、金属により形成されており、駆動ケーブル３６の先端に打ち付けによって留められる。
【００５１】
図６ｂは、図６ａのケーブルの断面を示している。駆動ケーブル３２の先端は、エンドキャップ３４の円錐状に先細る領域に至るまでエンドキャップ３４へ突出する。
【００５２】
図６ｃは、従来技術により知られるエンドキャップ３４の断面を示している。エンドキャップ３４は、前方へ向けて円錐状に先細るように形成される。そのようなエンドキャップは、例えば深絞り法によって製造することができる。
【００５３】
図７は、駆動ケーブルにキャップを被せるための従来技術により知られる他の可能性を示している。プラスチックキャップ４４がケーブルの先端４２に直接射出成形される。このため、駆動ケーブルの先端４２は、前処理されなければならず、特にバリが除去されなければならない。つまり、適用できる場合には、洗浄処理および／またはグリース除去処理を行なうことが必要な場合もある。
【００５４】
図８Ａは、第４の実施形態に係るエンドキャップの端部６６を示している。端部６６は前部６６．１と後部６６．２とを有しており、後部６６．２は、図８Ｂに示される接続部６４内へ挿入され、この目的のために設けられる開口６８に入り込む。
【００５５】
接続部６４の開口６８は、端部６６．２の最大直径Ｘよりも小さい直径Ｚを有する。挿入中、ここでは、端部６６がこのために設けられる接続部６４の開口６８に強固に嵌め付けることを達成でき、それにより、端部は抜け落ちることができない。第４の実施形態では、簡単な挿入により組み付けを行なうことができる。また、強固な嵌め付けは、端部６６が挿入された後に接続部６４を打ち付けることによって更に改善することができ、その結果、接続部６４の開口６８の直径Ｚが前述した方法で更に減少され、したがって、更なるクランプ効果が得られる。
【００５６】
無論、付随する構成要素を径方向に対称となるように形成する必要はない。また、これらの構成要素は、例えば楕円、角張るなどの異なる形状を有することもできる。これは、具体的な要件の範囲内で容易に決定される。
【００５７】
端部６６の後部６６．２は、前部６６．１へ向かうくびれ７０を有することができ、それにより、接続部６４内における端部６６の強固な嵌め付けが向上される。このとき、端部６６は接続部６４に係止する。このため、くびれ７０は、接続部６４の開口６８の直径Ｚにほぼ対応する直径、または、直径Ｚよりも若干小さい直径を有する。しかしながら、そのようなくびれ７０は、第４の実施形態にとって絶対に必要というわけではない。
【符号の説明】
【００５８】
２  エンドキャップ
４  接続部
６  端部
８  開口
１０  接続部４の前側領域
１２  接続部４の後側領域
１４  幅広領域
１６  端部６の前側領域
１８  端部６の後側領域
２０  アンダーカット
２２  エンドキャップ
２４  接続部
２６  端部
２８  開口
３２  駆動ケーブル
３４  スリーブ
３６  駆動ケーブルの先端
４０  駆動ケーブル
４２  駆動ケーブルの先端
４４  プラスチックキャップ
５２  エンドキャップ
５４  接続部
５６  端部
５８  スロット付きの後側領域
６２  エンドキャップ
６４  接続部
６６  端部
６６．１  前側領域
６６．２  後側領域
６８  開口
７０  くびれ
ｘ  端部の直径
ｚ  接続部の直径
【図１】
2011510244.tif 000003
【図２】
2011510244.tif 000004
【図３】
2011510244.tif 000005
【図４】
2011510244.tif 000006
【図５】
2011510244.tif 000007
【図６ａ】
2011510244.tif 000008
【図６ｂ】
2011510244.tif 000009
【図６ｃ】
2011510244.tif 000010
【図７】
2011510244.tif 000011
【図８Ａ】
2011510244.tif 000012
【図８Ｂ】
2011510244.tif 000013
【手続補正書】
【提出日】平成22年9月10日(2010.9.10)
【手続補正１】
【補正対象書類名】特許請求の範囲
【補正対象項目名】全文
【補正方法】変更
【補正の内容】
【特許請求の範囲】
【請求項１】
特に自動車において、特にサンルーフを摺動および／または傾動する際に、または、サンブラインドにおいて使用される金属鎖から成る駆動ケーブル（３２、４０）と組み合わせるエンドキャップ（２；２２；５２；６２）であって、前記駆動ケーブル（３２、４０）に接続させることができ、プラスチックから成る端部（６；２６；５６；６６）と組み合わせる接続部（４；２４；５４；６４）を有するエンドキャップ（２；２２；５２；６２）において、
前記接続部（４；２４；５４；６４）が前記駆動ケーブル（３２、４０）の金属ブレードと共に冷間成形され、前記接続部（４；２４；５４；６４）が前記端部（６；２６；５６；６６）と対向する開口（８；２８；６８）を有し、前記端部（６；２６；５６；６６）の一部が前記開口（８；２８；６８）に係合することを特徴とする、エンドキャップ。
【請求項２】
前記接続部（４；２４；５４；６４）が、金属から形成され、または、冷間成形可能なプラスチックから形成されることを特徴とする、請求項１に記載のエンドキャップ。
【請求項３】
前記端部（６；２６；５６；６６）が、熱可塑性物質、例えばＰＯＭ、ＰＡ、または、ＰＰから形成されることを特徴とする、請求項１または２に記載のエンドキャップ。
【請求項４】
略径方向に対称となるように形成されることを特徴とする、請求項１〜３のいずれか一項に記載のエンドキャップ。
【請求項５】
前記開口（８；２８、６８）が、好ましくは略径方向に対称となるように形成されて配置されることを特徴とする、請求項１〜４のいずれか一項に記載のエンドキャップ。
【請求項６】
前記端部（６）が前記接続部（４）上に射出成形されることを特徴とする、請求項１〜５のいずれか一項に記載のエンドキャップ。
【請求項７】
前記接続部（４；２４；５４；６４）が、前記端部（６；２６；５６；６６）へ向けて先細るように形成されることを特徴とする、請求項１〜６のいずれか一項に記載のエンドキャップ。
【請求項８】
前記接続部（４；２４；５４；６４）が、前記端部（６；２６；５６；６６）から離れる方向に向く先端にて広がるように形成されることを特徴とする、請求項１〜７のいずれか一項に記載のエンドキャップ。
【請求項９】
前記端部（６；２６；５６；６６）が２部品で形成されることを特徴とする、請求項１〜８のいずれか一項に記載のエンドキャップ。
【請求項１０】
前記端部（５６）がスロット付きの領域（５８）を有することを特徴とする、請求項１〜９のいずれか一項に記載のエンドキャップ。
【請求項１１】
前記端部（６６）が、前記接続部（６４）の開口（６８）の直径（Ｚ）よりも大きい直径（Ｘ）を有する後側領域（６６．２）を有することを特徴とする、請求項１〜１０のいずれか一項に記載のエンドキャップ。
【請求項１２】
前記端部（６６）の後側領域（６６．２）が、前記端部（６６）の前側領域（６６．１）へ向かうくびれ（７０）を有し、前記くびれ（７０）の直径が、前記接続部（６４）の開口（６８）の直径（Ｚ）以下であることを特徴とする、請求項１１に記載のエンドキャップ。
【請求項１３】
前記接続部（４；２４；５４；６４）が、熱可塑性物質から形成されることを特徴とする、請求項１〜１２のいずれか一項に記載のエンドキャップ。
【請求項１４】
接続部（４；２４；５４；６４）を設けるとともに、前記接続部（４；２４；５４；６５）に端部（６；２６；５６；６６）を取り付けることにより、特に自動車において、特にサンルーフまたはサンブラインドを摺動および／または傾動する際に用いる請求項１〜１０のいずれか一項に記載のエンドキャップ（２；２２；５２；６２）と組み合わせる金属ブレードから成る駆動ケーブル（３２、４０）の製造方法において、
前記エンドキャップ（２；２２；５２；６２）が打ち付けによって前記駆動ケーブルの先端（３６、４２）に取り付けられることを特徴とする、方法。
【請求項１５】
前記端部（６；２６；５６；６６）が、挿入、超音波溶接、熱転覆、プラスチック冷間成形、打ち込みによって、あるいは、直接射出成形によって前記接続部（４；２４；５４；６４）に取り付けられることを特徴とする、請求項１４に記載の方法。
【請求項１６】
前記端部（６；２６；５６；６６）および前記接続部（４；２４；５４；６４）が個別に製造されて、前記端部（６；２６；５６；６６）と前記接続部（４；２４；５４；６４）とが互いにクリップ式で固定されることを特徴とする、請求項１４または１５に記載の方法。
【請求項１７】
前記端部（６；２６；５６；６６）が、既に取り付けられた前記接続部（４；２４；５４；６４）上に射出成形されることを特徴とする、請求項１４に記載の方法。
【請求項１８】
前記端部（６６）は、好ましくは該端部（６６）が前記接続部（６４）に係止するまで、前記接続部（６４）内に押し込まれる、請求項１４に記載の方法。
【国際調査報告】
2011510244.tif 000014
2011510244.tif 000015
2011510244.tif 000016
2011510244.tif 000017
2011510244.tif 000018
2011510244.tif 000019